(57)【要約】【課題】巻き取った際の厚さを薄くでき、限られた厚さの上桟に形成された空所内に、シート状体を支障なく収容できる障子装置を提供する。【解決手段】矩形開口部を覆いうるシート状体を、このシート状体の巻上げ巻下ろしにより変化可能とするシート変位手段を設けた障子装置であって、前記シート変位手段は、少なくとも上桟内かつ前記縦框間を貫通して巾方向にのびる空所内を通り上下に間隔を隔てかつ平行に可回転に軸支部間に架け渡され、内側の巻き受け軸、及び巻き受け軸群と、前記巻き受け軸の一方を回転駆動する駆動手段とを含み、前記シート状体は、内側、外側の巻き受け軸を橋絡して断面長円状をなして重ね巻き取りされるとともに、前記シート変位手段を設けた少なくとも上桟は、前記空所から前記シート状体を通過させるスリットを具え、しかも前記格子体に前記スリットを通るシート状体を通過させる割溝を設けたことを特徴とする。【選択図】  図１
2007321540.tif 000002
【特許請求の範囲】
【請求項１】
平行に向き合う一対の縦框、及びこの縦框の上下端間に架け渡され巾方向にのびる上桟、下桟からなる矩形開口部を有する障子枠体と、この障子枠体の矩形開口部に配される格子体とを具え、かつ前記矩形開口部を覆いうるシート状体を、このシート状体の巻上げ巻下ろしにより変化可能とするシート変位手段を設けた障子装置であって、
前記シート変位手段は、少なくとも上桟内かつ前記縦框間を貫通して巾方向にのびる空所内を通り上下に間隔を隔てかつ平行に可回転に軸支部間に架け渡され、前記矩形開口部に向く内側の巻き受け軸、及びその反対の外側の巻き受け軸からなる巻き受け軸群と、前記巻き受け軸の一方を回転駆動する駆動手段とを含み、
前記シート状体は、内側、外側の巻き受け軸を橋絡して断面長円状をなして重ね巻き取りされるとともに、
前記シート変位手段を設けた少なくとも上桟は、前記空所から前記シート状体を通過させ前記矩形開口部に向く内側にスリットを具え、しかも前記格子体に前記スリットを通るシート状体を通過させる割溝を設けたことを特徴とする障子装置。
【請求項２】
シート変位手段は、前記上桟にのみ形成され、かつ前記シート状体の下端縁に、前記割溝を通過しうる重錘を巾方向に設けたことを特徴とする請求項１記載の障子装置。
【請求項３】
前記シート変位手段は、上桟に形成された上のシート変位手段と、下桟に形成された下のシート変位手段とを含むとともに、上桟、下桟の内側に設けたスリットは、互いに向き合い前記割溝に連通し、
前記シート状体は、意匠の異なる２種以上の異なるシート部を上下方向に連続し、かつ一方のシート部は、少なくとも一方のシート変位手段の巻き受け軸群で巻き取り可能とするとともに、上、下のシート変位手段の巻き受け軸群間で連続することを特徴とする請求項１記載の障子装置。
【請求項４】
前記シート部は、略同長さとしたことを特徴とする請求項３記載の障子装置。
【請求項５】
前記シート部は、紙質シート材と、布質シート材とを用いて形成されることを特徴とする請求項３又は４記載の障子装置。
【請求項６】
前記駆動手段は、上、下のシート変位手段の各巻き受け軸群の１つの巻き受け軸に設けた回転体と、この回転体に架け渡され人手により操作することにより前記回転体を駆動する無端連紐とからなることを特徴とする請求項３〜５のいずれかに記載の障子装置。
【請求項７】
前記駆動手段は、巻き受け軸の一方の回転を自由とするクラッチ手段を有することを特徴とする請求項６記載の障子装置。
【請求項８】
前記駆動手段は、無端連紐に取り付けられるとともに、縦框から外に突出する摘み部を含み、無端連紐を移動させて回転体を駆動する操作手段を更に設けたことを特徴とする請求項６又は７記載の障子装置。
【請求項９】
無端連紐は、ロープ、ベルト、又はチェーンであることを特徴とする請求項６〜８のいずれかに記載の障子装置。
【請求項１０】
前記シート変位手段の前記巻受け軸群は、内側、外側の巻き受け軸間に、同調回転可能に連携手段を設けたことを特徴とする請求項１〜９のいずれかに記載の障子装置。
【発明の詳細な説明】
【技術分野】
【０００１】
本発明は、矩形状の障子枠体の内側に、格子体に沿って張設されるシート状体を、状況に応じて簡単に入れ替えできる障子装置に関する。
【背景技術】
【０００２】
障子は、一定の断熱性を有しながら透光性にも優れ、またプライバシーを維持しながらも外の気配を感じることができるなど多くの優れた特性を備える建具として、伝統的に使用されている。近年、建築の工業化、洋風化の中にあって、木質材料、或いは和紙材料の持つ材質感が好まれて、間仕切建具用途に加え、アルミサッシュの内障子としても多用されている。
【０００３】
またこれらの基本機能に加えて、付加価値を高めるために様々な細工が加えられ、商品価値及び使い勝手を向上する工夫が提案されている。例えば、左右に平行に向き合う縦框の内部に縦長の収納部を形成するとともに、この左右の収納部に垂直な支持軸を各々取り付けて、横に長く連続する障子紙の左右両側を前記左右の支持軸に各々巻回した障子が提案されている。この障子では、障子紙を一方の縦框内に巻き取ると、その長さ分の新しい障子紙が他方の縦框から引き出されて入れ替わることから、張り替えの手間が省けるという効果がある。（例えば、特許文献１参照）。
【０００４】
【特許文献１】特開平１０−３３１５３４号公報
【発明の開示】
【発明が解決しようとする課題】
【０００５】
しかしながら、障子の枠体は納まりの都合上、その厚さに制約があるため、前記収納部の大きさには限界がある。従ってこのように狭い収納部の中で、障子紙を支持軸のまわりに巻き取ると、その外径が膨らむことから、巻き取り操作が困難となる。このように、巻き取り、或いは他方の収納部からの引き出し動作が滑らかでないため、操作性が悪い上、障子紙が過度に引っ張られて破れることもあり、逆に巻き取り側の動きに支障があると、障子紙に弛みが発生して見栄えが悪くなるという問題がある。
【０００６】
更には、このように制限された厚さの障子枠内に収容できる障子紙の長さは極めて短く、特に厚手の障子紙を用いる場合には、一面分の障子紙さえも巻き取ることが出来ないという問題がある。
【０００７】
本発明は、内側の巻き受け軸、及びその反対の外側の巻き受け軸からなる巻き受け軸群と、前記巻き受け軸の一方を回転駆動する駆動手段とを設けて、シート状体を、内側、外側の巻き受け軸間に、断面長円状に重ね巻き取りすることをを基本とし、巻き取った際の厚さを薄くでき、限られた厚さの上桟に形成された空所内に、シート状体を支障なく収容できる障子装置の提供を課題としている。
【課題を解決するための手段】
【０００８】
前記目的を達成するために、請求項１に係る発明では、平行に向き合う一対の縦框、及びこの縦框の上下端間に架け渡され巾方向にのびる上桟、下桟からなる矩形開口部を有する障子枠体と、この障子枠体の矩形開口部に配される格子体とを具え、かつ前記矩形開口部を覆いうるシート状体を、このシート状体の巻上げ巻下ろしにより変化可能とするシート変位手段を設けた障子装置であって、前記シート変位手段は、少なくとも上桟内かつ前記縦框間を貫通して巾方向にのびる空所内を通り上下に間隔を隔てかつ平行に可回転に軸支部間に架け渡され、前記矩形開口部に向く内側の巻き受け軸、及びその反対の外側の巻き受け軸からなる巻き受け軸群と、前記巻き受け軸の一方を回転駆動する駆動手段とを含み、前記シート状体は、内側、外側の巻き受け軸を橋絡して断面長円状をなして重ね巻き取りされるとともに、前記シート変位手段を設けた少なくとも上桟は、前記空所から前記シート状体を通過させ前記矩形開口部に向く内側にスリットを具え、しかも前記格子体に前記スリットを通るシート状体を通過させる割溝を設けたことを特徴とする。
【０００９】
請求項２に係る発明では、シート変位手段は、前記上桟にのみ形成され、かつ前記シート状体の下端縁に、前記割溝を通過しうる重錘を巾方向に設けたことを特徴とする。
【００１０】
請求項３に係る発明では、前記シート変位手段は、上桟に形成された上のシート変位手段と、下桟に形成された下のシート変位手段とを含むとともに、上桟、下桟の内側に設けたスリットは、互いに向き合い前記割溝に連通し、前記シート状体は、意匠の異なる２種以上の異なるシート部を上下方向に連続し、かつ一方のシート部は、少なくとも一方のシート変位手段の巻き受け軸群で巻き取り可能とするとともに、上、下のシート変位手段の巻き受け軸群間で連続することを特徴とする。
【００１１】
請求項４に係る発明において、前記シート部は、略同長さとし、請求項５に係る発明では、前記シート部は、紙質シート材と、布質シート材とを用いて形成されることを特徴とする。
【００１２】
請求項６に係る発明において、前記駆動手段は、上、下のシート変位手段の各巻き受け軸群の１つの巻き受け軸に設けた回転体と、この回転体に架け渡され人手により操作することにより前記回転体を駆動する無端連紐とからなり、請求項７に係る発明では、前記駆動手段は、巻き受け軸の一方の回転を自由とするクラッチ手段を有することを特徴とする。
【００１３】
請求項８に係る発明において、前記駆動手段は、無端連紐に取り付けられるとともに、縦框から外に突出する摘み部を含み、無端連紐を移動させて回転体を駆動する操作手段を更に設け、請求項９に係る発明では、無端連紐は、ロープ、ベルト、又はチェーンであるり、請求項１０に係る発明において、前記シート変位手段の前記巻受け軸群は、内側、外側の巻き受け軸間に、同調回転可能に連携手段を設けたことを特徴とする。
【発明の効果】
【００１４】
請求項１に係る発明においては、矩形開口部を覆うシート状体は、矩形開口部に対して内側、外側に配置された、上下二本の巻き受け軸を橋絡して断面長円状に重ね巻き取りすることにより、上桟内の空所に収容することから、シート状体全体を巻き取ったとしても、その巻き重ね数が少なくコンパクトに収容できる。そのため、巻き取った際の厚さを薄くでき、シート状体を限られた厚さの上桟内に形成される空所内に、支障なく収容できる。またその結果、シート状体の巻上げ巻下ろしする操作をスムースに行なえる。
【００１５】
また、上桟を含む障子枠体の厚さを増す必要がないことから、一般の障子と同じ外観とすることができるため、見栄えに優れる。同時に敷居、鴨居間に移動可能に取り付ける時の納まりも、一般の障子と全く同様とすることができる。従って、新築時は勿論のこと、障子の取替えのみで、リフォームを簡単に行なえる。更には通常の障子と適宜組み合わせして用いても、納まり上何ら支障がないことから、必要な位置に必要数を配置して使用することができる。
【００１６】
巻上げ、巻下ろし可能に設けられるシート状体は、矩形開口部内において、格子体に設けた割溝の内側を通過して支持されることから、風を受けても揺動、振動が抑えられる。そのため、バタツキ音のない静けさを維持できるとともに、シート状体の破損を防止できて、耐久性を高めることができる。
【００１７】
請求項２に係る発明のように、上桟に形成された空所に収容されたシート状体の下端縁に、格子体の割溝を通過できる重錘を設けると、矩形開口部の内側にシート状体をスムースに巻下ろしできる。
【００１８】
請求項３に係る発明のように、上桟、下桟に上のシート変位手段、下のシート変位手段を各々形成するとともに、２種以上のシート部が上下方向に連続するシート状体を用いると、矩形開口部の内側に、種類の異なるシート部を交互に引き出すことにより、例えば、通風性、遮光性などの諸性能を変化させることができる。従って、換気量を増減したり、必要なプライバシー性を確保するなど、使用状況に応じた選択が可能となり、多機能に使用できる。更には、障子の外観意匠を変化させて、用途などに合った雰囲気を演出することもできる。
【００１９】
請求項４に係る発明のように、略同長さのシート部を連続したシート状体を用いると、上下方向に同長さの巻上げ巻下ろし操作によって、矩形開口部内のシート部を入れ替えることができる。
【００２０】
請求項５に係る発明のように、紙質シート材と、布質シート材とを用いて、シート部を形成すると、通気を遮断し、外からの覗き込みを防止する際には紙質シート材を矩形開口部内へ引き出して使用できる。また通気性、又はある程度の透視が必要な場合には、布質シート材を引き出して使用することにより、多機能で便利良く使い分けができる。
【００２１】
請求項６に係る発明のように、上、下のシート変位手段の巻き受け軸に設けた回転体の間に無端連紐を架け渡して駆動手段を設けると、上下に連続するシート状体を、上、下のシート変位手段の一方に巻き込むと同時に、他方から同じ速度で送り出すことができる。そのため、シート状体を、滑らからに巻上げ巻下ろしでき、操作性に優れるとともに、矩形開口部の内部引き出されたシート状体が弛むことなく支持されることから、見栄えが良い。
【００２２】
請求項７に係る発明のように、駆動手段に、巻き受け軸の一方の回転を自由にできるクラッチ手段を設けると、巻き重ね数の違いにより生じる、一回転で巻き取られる長さの変化を、吸収調整できる。そのため、よりスムースに巻上げ巻下ろしができるとともに、シート状体に無理な引っ張り力、或いは弛みを生じない。
【００２３】
請求項８に係る発明のように、縦框から外に突出する摘み部を無端連紐に取り付けた操作手段を設けると、摘み部を上下に動かすことにより回転体を駆動し、簡単な機構でシート状体をスムース、かつ確実に巻上げ巻下ろしできる。
【００２４】
請求項９に係る発明のように、無端連紐として、ロープ、ベルト、又はチェーンなど各種の要素を採用できる。また請求項１０に係る発明のように、内側、外側の巻き受け軸間に、同調回転可能する連携手段を設けると、双方の巻き受け軸が正確に連動するため、シート状体を緩み無く確実に巻上げ巻下ろしできる。
【発明を実施するための最良の形態】
【００２５】
以下、本発明の実施の一形態を、図示例とともに説明する。図１に示すように、障子装置１は、矩形開口部５を有する障子枠体６と、この障子枠体６の矩形開口部５に設けられる格子体７と、矩形開口部５を覆うことのできるシート状体８と、このシート状体８を巻上げ巻下ろしして矩形開口部５を変化させることのできるシート変位手段９とを具える。
【００２６】
前記障子枠体６は、平行に向き合う一対の縦框２、及びこの縦框２の上端部間、下端部間に架け渡されるとともに、障子枠体６の巾方向にのびる上桟３、下桟４とからなる。更に本形態の上桟３は、厚さ方向に二つに分割され、厚さの大きな上桟本体部３Ａと、厚さの薄い上桟カバー部３Ｂとに分かれて形成される。
【００２７】
前記上桟本体部３Ａは、その両端部が、縦框２、２上端部に留接ぎ、相欠き接ぎ、ホゾ接ぎなどの継手を用いて固着される。一方上桟カバー部３Ｂの（図４において左側に表われる）一端部にＶ字溝３１Ａが形成されるとともに、これに向き合う縦框２の上端部に断面三角形の実３１Ｂが形成される。そして、上桟カバー部３Ｂの一端部側は、実３１ＢとＶ字溝３１Ａとを嵌め合わせた実矧ぎによって取り付けられる。更に上桟カバー部３Ｂの一端部側は、前記実矧ぎ部分を支点として上桟本体部３Ａに重ね、更に小ビス３２を上桟本体部３Ａのネジ孔３３に螺合することにより固着される。このようにして、二つに分割された上桟本体部３Ａと上桟カバー部３Ｂとが一体化されて上桟３が構成されるとともに、縦框２、２上端部間に架け渡される。
【００２８】
また図６に示すように、前記上桟本体部３Ａ、上桟カバー部３Ｂは、その向き合う内面に、全巾に亘って凹部３４が形成される。この凹部３４は、上、下端に深い湾曲溝部３５Ｕ、Ｄが設けられ、更にこの下端の湾曲溝部３５Ｄは、下縁側が全巾に亘って少し短く形成された短縁部３６を有する。そして、上桟本体部３Ａ、上桟カバー部３Ｂが重なり合って上桟３を構成すると、双方の凹部３４、３４によって内部に巾方向全体にのびる空洞状の空所１０が形成される。この空所１０は、両側の縦框２、２の間で連続している。またこの空所１０の下部には、短く形成された短縁部３６、３６の間にスリット１４が形成される。このスリット１４は、上桟３においては、矩形開口部５に向かう内側に形成される。
【００２９】
図２、８に示すように、本形態の下桟４は、前記上桟３と同様に、下桟本体部４Ａ及び下桟カバー部４Ｂを重ねて形成するとともに、縦框２、２の下端部間に架け渡される。そして内部には、上桟３と同様にして空所１０が形成される。但し前記スリット１４は、下桟４の上部に形成される。従って上桟３、下桟４の矩形開口部５に向く内側に設けられた双方のスリット１４、１４は、互いに向き合って形成される。なお本形態では図４、５に示すように、一方の縦框２に縦に連続する縦溝４０が形成される。この縦溝４０の向き合う縁部には、縦に連続する係合溝４１、４１が形成される。中央部に縦長の細窓４６を設けた長尺薄板状の蓋板４７が、上方からスライドすることにより、前記係合溝４１、４１間に挿入して取り付けられる。
【００３０】
障子枠体６は、縦框２の間隔である巾寸法は、例えば７５０〜１２００ｍｍ程度、本形態では９８０ｍｍに形成され、上桟３、下桟４の間隔である高さ寸法は、例えば４５０〜２２００ｍｍ程度、本形態では６００ｍｍに形成したものを例示している。
【００３１】
前記格子体７は、本形態では図２に示すように、前記矩形開口部５と略同じ大きさの外周枠７Ａの内側に縦格子７Ｂ、横格子７Ｄを一体に架け渡した格子ユニット３７を用いて構成される。更にこの格子ユニット３７は、厚さ方向に、略同厚さに分割され、固定格子ユニット３７Ｆと、可動格子ユニット３７Ｍとに分かれて形成される。
【００３２】
前記固定格子ユニット３７Ｆは、障子枠体６の矩形開口部５内に実矧ぎ、或いは接着により固着される。可動格子ユニット３７Ｍは図５に示すように、外周枠７Ａの両側部に上下に連続する凸部３８が形成され、一方障子枠体６の縦框２には図３、５に示すように、矩形開口部５に向く内側面に、上下に連続する支持溝３９が形成される。そして、可動格子ユニット３７Ｍは、左右の凸部３８、３８を、支持溝３９、３９内に各々挿入するとともに、上からスライドさせて障子枠体６に着脱自在に取り付けられる。このとき、固定格子ユニット３７Ｆと、支持溝３９、３９間に取り付けられた可動格子ユニット３７Ｍとの間には、例えば１〜５ｍｍ程度の割溝１５が形成される。しかもこの割溝１５は、前記上桟３、下桟４に形成されるスリット１４と上下に連通して形成される。なお本明細書において割溝１５とは、格子体７の中心部に形成される隙間をいう。
【００３３】
障子枠体６、及び格子体７は、杉、松、樅、栂などの針葉樹、およびナラ、チーク、ラワンなどの広葉樹を含む無垢木材の他、集成材の上に、ナラ、サクラ、チーク、ケヤキなどを０．２〜０．６ｍｍ程度にスライスした突き板、或いはポリエチレン、ポリプロピレン、エチレン酢ビ樹脂（ＥＶＡ）などオレフィン系樹脂、メラミン樹脂、ポリエステル樹脂を用いた化粧シートを貼着した化粧木材、或いはポリエチレン樹脂、ポリプロピレン樹脂、ポリスチレン樹脂、フェノール樹脂、不飽和ポリエステル樹脂などのプラスチック材料、更にはアルミニウムの押出成形型材などを用いて形成することができる。
【００３４】
前記シート変位手段９は、前記空所１０に取り付けられる巻き受け軸群１２Ｇと、駆動手段１３とを含み構成される。前記巻き受け軸群１２Ｇは図３、６に示すように、矩形開口部５に近い内側に配される内側の巻き受け軸１２Ｕと、間隔を隔ててその反対側に平行に配される外側の巻き受け軸１２Ｓとからなる。
【００３５】
図３に示すように、前記縦框２の空所１０に面する箇所に上下に間隔を隔てて水平な丸孔４９が穿設されるともに、この丸孔に管状のブッシュを嵌合して軸支部１１、１１が形成される。前記内側、外側の巻き受け軸１２Ｕ、１２Ｓの両端部を、左右の縦框２の上下の軸支部１１、１１に各々挿入することにより、内側、外側の巻き受け軸１２Ｕ、１２Ｓが回転可能に支持される。なお本形態では図４に示すように、内側の巻き受け軸１２の一方端部は、縦框２の縦溝４０内を横切って配置された回転体１７を形成している。
【００３６】
本形態の巻き受け軸１２は図７に示すように、二分割されるとともに着脱可能な接合手段４２によって一体化されている。前記接合手段４２は、一方の分割軸に軸方向に設けたネジ孔４２Ａと、他方の分割軸に軸方向に突設されるとともに前記ネジ孔４２Ａに螺合できるネジ棒４２Ｂと、このネジ棒４２Ｂに螺装されたナット４２Ｄからなる。従って、ネジ棒４２Ｂをネジ孔４２Ａに深くネジ込むことにより全長を短くした巻き受け軸１２を、一方の軸支部１１に挿入した後、ネジ棒４２Ｂを回転することにより伸張する巻き受け軸１２の他端側を相方の軸支部１１に挿入して両端を支持させる。次いで前記ナット４２Ｄをネジ孔４２Ａ側へ締め付けて、所謂ダブルナット機構によって緩み止めすると、二分割した巻き受け軸１２を剛に一体化できるとともに、軸支部１１、１１間に架け渡すことができる。このように接合手段４２を設けた二分割タイプの巻き受け軸１２を用いると、最初の組立作業をやり易くできるとともに、シート状体８の取替えなどのメンテナンス性を高めることができる点で好ましい。
【００３７】
本形態では図３、６に示すように、内側、外側の巻き受け軸１２Ｕ、１２Ｓの間に無端帯状の帯ベルト４３をベルト掛けしている。この帯ベルト４３は図２に示すように、中央に太巾のものを３本、更にその両側に細巾のものを各１本、合計５本を等間隔で隔設し、内側、外側の巻き受け軸１２Ｕ、１２Ｓの回転を同調させる連携手段２２を形成している。このような連携手段２２を設けることにより、双方の軸回転を正確に連動させることができる。
【００３８】
また図６に示すように、縦框２に両端を支持された垂直断面が縦長矩形状の横棒４４を空所１０の中央に設けるとともに、この横棒４４の上下面に、回転自在な一対のミニロール４５、４５を有する軸受け具４６を設けると、シート状体８を巻き取る際に巻き受け軸１２に作用する曲げ力が支持されることから、円滑な巻き取り動作ができる点で好ましい。
【００３９】
前記巻き受け軸１２の直径は、例えば、５〜２０ｍｍ程度、好ましくは８〜１５ｍｍ、本形態では１２ｍｍとしている。５ｍｍ未満では、シート状体８の巻き径が過小となって、巻き癖が付き易くなるとともに軸強度が不足し、逆に２０ｍｍを超えると、空所１０内が狭くなって、シート状体８の収容スペースが不足する。
【００４０】
なお本形態では図２、８に示すように、下桟４の空所１０にも、上桟３と同様にして、巻き受け軸群１２Ｇが設けられる。
【００４１】
前記駆動手段１３は、前記巻き受け軸群１２Ｇの一方の巻き受け軸１２を回動駆動することができる。本形態では、上桟３に設けた巻き受け軸群１２Ｇでは下方に配置された内側の巻き受け軸１２Ｕを回動する駆動手段１３が設けられ、かつ下桟４に設けた巻き受け軸群１２Ｇでは上方に配置された内側の巻き受け軸１２Ｕを回動する駆動手段１３が設けられる。このように本形態のシート変位手段９は、上桟３に設けた上のシート変位手段９Ｕと、下桟４に設けた下のシート変位手段９Ｓとによって形成される。
【００４２】
また本形態の駆動手段１３は、前記した内側の巻き受け軸１２の縦框２の縦溝４０内を横切る領域からなる回転体１７と、縦溝４０内の上下に配される一対の回転体１７、１７の間に架け渡される無端連紐１８とからなる。無端連紐１８として本形態では、ベルト１８Ｂを用いているが、この他ロープ、チェーンなども採用できる。
【００４３】
ベルト１８Ｂには図３に示すように、摘み部２０が取り付けられる。そしてこの摘み部２０は、前記蓋板４７の細窓５０を通り、縦框２から外に突出して設けられる。従ってこの摘み部２０を人手により上下に動かすことにより、ベルト１８Ｂを上下に移動させて、回転体１７を確実に回転駆動できる。従ってこのような簡単な機構を用いて、確実に巻き受け軸１２を回動させ、その上にシート状体８をスムースに巻上げ巻き下ろしできる点で好ましい。本形態では、摘み部２０により回転体１７を駆動する操作手段２１を形成している。
【００４４】
前記シート状体８は、障子枠体６の矩形開口部５を覆うものであり、意匠の異なる２種類以上のシート部８Ｂを上下に連続して形成されたものが用いられる。ここで意匠の異なるとは、外観デザインが異なるものを含むことは勿論、特に材質の異なるシート部８Ｂを連続したものが有効である。例えば紙質シート材８Ｋと、布質シート材８Ｎとを連続させた場合、紙質シート材８Ｋを矩形開口部５内へ引き出して使用すると、通気を遮断し、外からの覗き込みを防止できる。一方布質シート材８Ｎを引き出して使用すると、通気性、及びある程度の透視が必要な場合などには、非常に有効である。このように材質による特性を活かして、時間帯、使用状況などの諸条件に合わせて、多機能で便利良く使い分けができる。
【００４５】
また各々のシート部８Ｂは、前記矩形開口部５の高さに合わせて、或いは矩形開口部５の高さ寸法よりも少し長い寸法で、略同じ長さに揃えて連続させると、上下方向に略同じ長さ巻上げ巻下ろし操作することによって、矩形開口部５内に位置するシート部８Ｂを入れ替えることができる。
【００４６】
そして、図８に示すように上に位置するところの、例えば布質シート材８Ｎを用いたシート部８Ｂは、前記上桟３の内側、外側の巻き受け軸１２Ｕ、１２Ｓを橋絡するとともに、断面長円状をなして重ねて巻き取りされる。この時、布質シート材８Ｎの先端縁は、前記帯ベルト４３に接着剤などで固着される。従って、巻き受け軸１２と共に回転する帯ベルト４３が、布質シート材８Ｎの先端縁を平均して引っ張りながら、同じ速さで回転するため、布質シート材８Ｎは皺を生じたり、弛むことなく整然と帯ベルト４３の上から内側、外側の巻き受け軸１２Ｕ、１２Ｓ間に重ね巻きされる。
【００４７】
そして、この上桟３の巻き受け軸群１２Ｇに巻き上げられた布質シート材８Ｎに連続する紙質シート材８Ｋは、前記上桟３のスリット１４を通るとともに、更に格子体７の割溝１５を通過して下にのびる。そして下桟４のスリット１４を通って下桟４の空所１０に至り、更に下部が下桟４の巻き受け軸群１２Ｇに巻き取られるとともにその先端縁が、前記と同様、帯ベルト４３に固着されている。この状態から、駆動手段１３の摘み部２０を下方に引き下ろすと、前記ベルト１８Ｂが回動するとともに回転体１７を介して上、下のシート変位手段９Ｕ、９Ｓの内側の巻き受け軸１２Ｕが同時に回動する。その結果図９に示すように、紙質シート材８Ｋが下桟４のスリット１４を通って下のシート変位手段９Ｓの内側、外側の巻き受け軸１２Ｕ、１２Ｓ間に重ね巻きされるとともに、上のシート変位手段９Ｕの巻き受け軸群１２Ｇに巻き取られた布質シート材８Ｎが、上桟３からスリット１４を通過して格子体７の割溝１５に引き出されて、矩形開口部５全面を覆う。
【００４８】
このように、駆動手段１３によって、布質シート材８Ｎと紙質シート材８Ｋとが連続したシート状体８が、上、下のシート変位手段９Ｓの一方に巻き込まれると、他方からは種類の異なるシート部８Ｂが同じ速度で引き出される。しかも本形態では、内側、外側の巻き受け軸１２Ｕ、１２Ｓを連動させる連携手段２２を設けている。そのためシート状体８を、スムースに巻上げ巻下ろしできるため、操作性に優れ、しかも矩形開口部５に引き出されたシート状体８が弛むことなく支持されることから、見栄えが良い。さらに本形態では、連携手段２２を構成する帯ベルト４３にシート状体８の先端縁を固着していることから、巻き取りの際、シート状体８の先端が平均的に引っ張られる。そのため、巻き取りムラなどを生じることなく整然と巻き取りできる。
【００４９】
このようにして構成された障子装置１は、シート状体８を、内側、外側の巻き受け軸１２Ｕ、１２Ｓの間に巻装して断面長円状に重ね巻き取りする。そのため、シート状体８全体を、上桟３、下桟４の空所１０に巻き取ったとしても、その巻き重ね回数を少なくすることができる。従って、巻き取った際の厚さを薄くでき、限られた厚さの空所１０内に、シート状体８を支障なくコンパクトに収容できる。またその結果、シート状体８の巻上げ巻下ろし操作もスムースに行なえる。
【００５０】
従って、上桟３、下桟４を含む障子枠体６の厚さを大きくする必要もなく、従来の障子と同じ外観とすることができるため、見栄えに優れる。同時に敷居、鴨居間に移動可能に取り付ける時の納まりも、一般の障子と全く同様とすることができることから、新築時は勿論のこと、障子の取替えのみでリフォームにも簡単に対応できる。更には通常の障子と適宜組み合わせして用いることも可能であり、必要な位置に必要数を配置して使用することができる。
【００５１】
また矩形開口部５におけるシート状体８は、格子体７に設けた割溝１５の内側を通過して支持されることから、風を受けても揺動、振動が抑えられる。そのため、バタツキ音のない静けさを維持できるとともに、シート状体８の破損を防止できて、耐久性を高めることができる。
【００５２】
本形態では図７に示すように、内側の巻き受け軸１２Ｕにその巻き下ろし方向の回転を自由に許容するクラッチ手段１９を設けている。このクラッチ手段１９は、軸体が分離し、この分離面に設けた互いに噛合する鋸刃状の係合部１９Ａを設けるとともに、内側の巻き受け軸１２Ｕ端部に押しバネ１９Ｂを介装して、前記係合部１９Ａを一定のバネ力を付与して構成される。このクラッチ手段１９は、上、下のシート変位手段９Ｕ、９Ｓ間で、巻き重ね数の違いによって、一回転で巻き取る長さに差が生じた際には、バネ力に抗して係合部１９Ａにズレを生じることから、前記差を吸収調整できる。そのため、よりスムースに巻上げ巻下ろしができるとともに、シート状体８に無理な引っ張り力、或いは弛みを生じない。
【００５３】
図１０は他の実施形態を例示している。以下異なる内容について説明し、それ以外は図中に表れた主要構成に同じ符号を付すだけとする。本形態の障子装置１では、駆動手段１３が、外側の巻き受け軸１２Ｓの端部に一体に設けられ、直接外側の巻き受け軸１２Ｓを巻き取り方向に回転できるダイヤル４８によって形成される。従って、ダイヤル４８を操作する力は、ロス、滑りを生じることなく直接的にシート状体８を上下動させることができる。なお前記ダイヤル４８を引き違い障子に設ける時には、相方の障子枠体６との干渉防止のため、縦框２表面からの突出寸法を小さく形成される。
【００５４】
図１１は更に他の実施形態を例示している。本形態の障子装置１では、シート変位手段９は、上桟３にのみ形成される。そして、上桟３の内側、外側の巻き受け軸１２Ｕ、１２Ｓの間で断面長円状に重ねて巻き取られたシート状体８は、スリット１４を通って、格子体７の割溝１５へのびている。そしてこのシート状体８の下端縁には、その巾方向にのびる重錘１６が取り付けられる。従って矩形開口部５へ引き出される際に、シート状体８は、重錘１６の重さで引っ張られて割溝１５を通過することができ、また風を受けても反りなどの変形を生じることがない。
【００５５】
尚、叙上の説明は本発明の実施の形態を例示したものである。従って本発明の技術的範囲はこれに何ら限定されるものではなく、前記した実施の形態の他にも、各種の変形例が含まれる。例えば、外壁に設けた開口部に、前記の障子装置１を嵌め込むことによって、障子状のフィックス窓を形成することもできる。
【図面の簡単な説明】
【００５６】
【図１】本発明の一実施の形態を例示する斜視図である。
【図２】その分解斜視図である。
【図３】その要部拡大図である。
【図４】そのＡ−Ａ断面図である。
【図５】そのＢ−Ｂ断面図である。
【図６】その要部拡大縦断面図である。
【図７】巻き受け軸の要部拡大図である。
【図８】図１のＣ−Ｃ断面図である。
【図９】その異なる使用状態を示すＣ−Ｃ断面図である。
【図１０】他の実施形態を例示する要部拡大斜視図である。
【図１１】更に他の実施形態を例示する縦断面図である。
【符号の説明】
【００５７】
１      障子装置
２      縦框
３      上桟
４      下桟
５      矩形開口部
６      障子枠体
７      格子体
８      シート状体
８Ｂ    シート部
８Ｋ    紙質シート材
８Ｎ    布質シート材
９      シート変位手段
９Ｓ    下のシート変位手段
９Ｕ    上のシート変位手段
１０      空所
１１      軸支部
１２      巻き受け軸
１２Ｇ    巻き受け軸群
１２Ｓ    下の巻き受け軸
１２Ｕ    上の巻き受け軸
１３      駆動手段
１４      スリット
１５      割溝
１６      重錘
１７      回転体
１８      無端連紐
１９      クラッチ手段
２０      摘み部
２１      操作手段
２２      連携手段
【図１】
2007321540.tif 000003
【図２】
2007321540.tif 000004
【図３】
2007321540.tif 000005
【図４】
2007321540.tif 000006
【図５】
2007321540.tif 000007
【図６】
2007321540.tif 000008
【図７】
2007321540.tif 000009
【図８】
2007321540.tif 000010
【図９】
2007321540.tif 000011
【図１０】
2007321540.tif 000012
【図１１】
2007321540.tif 000013